(57)【要約】【課題】固定子に設けられた支持台の支持剛性を向上させて、端子とブラシ機構との電気的な接続を確実に安定させた電動送風機、および電気掃除機を提案する。【解決手段】電動送風機１２は、ブラシホルダ固定部６７が設けられ、絶縁材料を用いて形成されたモータハウジング５３と、モータハウジング５３に回動自在に軸支されたロータ軸８４と、ロータ軸８４に設けられた整流子８６と、整流子８６に電気的に接続されたブラシ機構５７と、モータハウジング５３に保持された鉄心７５と、鉄心７５に設けられた端子台７７と、端子台７７から突設され、絶縁材料を用いて形成された支持台７９と、支持台７９の自由端部に設けられ、ブラシホルダ８８に電気的に接続された端子８１と、ブラシホルダ固定部６７に並設させてモータハウジング５３に一体に形成され、支持台７９の自由端部８０が嵌設された端子保持部６８とを備える。【選択図】  図２
2010119237.tif 000002
【特許請求の範囲】
【請求項１】
ブラシホルダ固定部が設けられ、絶縁材料を用いて形成されたモータハウジングと、
前記モータハウジングに回動自在に軸支されたロータ軸と、
前記ロータ軸に設けられた巻線と、
前記ロータ軸に設けられ、前記巻線に電気的に接続された整流子と、
前記ブラシホルダ固定部に貫設されたブラシホルダと、
前記ブラシホルダに摺動自在に収容され、前記整流子に押圧されたブラシと、
前記モータハウジングに保持された鉄心と、
前記鉄心に設けられた端子台と、
前記端子台から突設され、絶縁材料を用いて形成された支持台と、
前記支持台の自由端部に設けられ、前記ブラシホルダに電気的に接続された端子と、
前記ブラシホルダ固定部に並設させて前記モータハウジングに一体に形成され、前記支持台の自由端部が嵌設された端子保持部とを備えたことを特徴とする電動送風機。
【請求項２】
前記端子保持部は、前記支持台の自由端部を挟持する一対のリブで構成されたことを特徴とする請求項１に記載の電動送風機。
【請求項３】
前記端子保持部と、前記ブラシホルダ固定部とは、一体に形成されたことを特徴とする請求項１または２に記載の電動送風機。
【請求項４】
掃除機本体と、
前記掃除機本体に収容された請求項１から３のいずれか１項に記載の電動送風機とを備えたことを特徴とする電気掃除機。
【発明の詳細な説明】
【技術分野】
【０００１】
本発明は、組立性、および耐環境性を向上させた電動送風機と、この電動送風機を備えた電気掃除機に関する。
【背景技術】
【０００２】
一般に電気掃除機は、空気を吸い込み負圧を発生させる電動送風機を備える。
【０００３】
電動送風機は、空気を吸い込む遠心ファン部と、遠心ファン部を駆動させるモータ部とから構成される。
【０００４】
遠心ファン部は、吸気口を有するファンカバーと、ファンカバーに収容されるとともに、吸気口に対向させた吸込口を有する遠心ファンと、ファンカバーに収容されるとともに、遠心ファンの周囲に配置された整流板とから構成される。
【０００５】
他方、モータ部は、遠心ファン部から案内される空気の排気口を有するモータハウジングと、モータハウジングの内周に設けられた固定子と、モータハウジング内に回動自在に軸支された回転子と、モータハウジングに設けられ、回転子に電気的に接続された一対のブラシ機構とから構成される。
【０００６】
モータ部の固定子は、鉄心と、鉄心に設けられた端子台と、鉄心に巻回されたフィールド巻線とを備える。端子台は、合成樹脂などの絶縁材料で形成され、鉄心の一方の端面に設けられた枠状体である。端子台の４つの角部には、それぞれ支持台が突設される。支持台の自由端部には、それぞれ端子が設けられる。それぞれの端子は、導電線によってフィールド巻線に電気的に接続される。
【０００７】
固定子の中心軸を対称軸として向かい合う一対の端子は、それぞれブラシ機構に押圧され、ブラシ機構を介して回転子に電気的に接続される。
【０００８】
このため、ブラシ機構に押圧される端子が設けられた支持台は、鉄心からブラシ機構の近傍に向けて突設される。（例えば、特許文献１参照。）
【特許文献１】特開平３−３６３５号公報
【発明の開示】
【発明が解決しようとする課題】
【０００９】
従来の電動送風機は、支持台が端子台から片持梁状に突設されている。このため、従来の電動送風機は、電動送風機の作動によって生じる熱、および振動や、電動送風機内の排気流や、外部から電動送風機に加わる振動や衝撃力などの外力によって、支持台の自由端部が変位して端子とブラシ機構との間の電気的な接続が不安定になる虞があった。電動送風機は、端子とブラシ機構との間の電気的な接続が不安定になると、その運転出力が不安定になり、破損に至る虞がある。
【００１０】
また、従来の電動送風機は、モータハウジングに固定子を配置した後に、モータハウジングに形成されたブラシホルダ固定部にブラシ機構を圧入して組み立てる。このような組立工程において、端子台の支持台には、ブラシ機構の圧入にともなって曲げ応力が加えられる。これは、支持台の自由端部に設けられた端子がブラシ機構の表面に押圧され、かつブラシ機構の圧入による変位によって、支持台に加えられる外力によるものである。従来の電動送風機は、このような曲げ応力によって、支持台の自由端部が変形して端子とブラシ機構との間の電気的な接続が不安定になる虞もあった。さらに、従来の電動送風機は、このような組立工程における曲げ応力によって支持台の折損に至る虞もあった。これは、従来の電動送風機の組立工程における歩留まりを低下させる。
【００１１】
本発明は、固定子に設けられた支持台の支持剛性を向上させて、端子とブラシ機構との電気的な接続を確実に安定させた電動送風機、および電気掃除機を提案する。
【課題を解決するための手段】
【００１２】
前記の課題を解決するため本発明では、ブラシホルダ固定部が設けられ、絶縁材料を用いて形成されたモータハウジングと、前記モータハウジングに回動自在に軸支されたロータ軸と、前記ロータ軸に設けられた巻線と、前記ロータ軸に設けられ、前記巻線に電気的に接続された整流子と、前記ブラシホルダ固定部に貫設されたブラシホルダと、前記ブラシホルダに摺動自在に収容され、前記整流子に押圧されたブラシと、前記モータハウジングに保持された鉄心と、前記鉄心に設けられた端子台と、前記端子台から突設され、絶縁材料を用いて形成された支持台と、前記支持台の自由端部に設けられ、前記ブラシホルダに電気的に接続された端子と、前記ブラシホルダ固定部に並設させて前記モータハウジングに一体に形成され、前記支持台の自由端部が嵌設された端子保持部とを備えたことを特徴とする。
【発明の効果】
【００１３】
本発明は、固定子に設けられた支持台の支持剛性を向上させて、端子とブラシ機構との電気的な接続を確実に安定させた電動送風機、および電気掃除機を提案できる。
【発明を実施するための最良の形態】
【００１４】
本発明に係る電動送風機の実施形態について図１から図５を参照して説明する。
【００１５】
図１は、本発明に係る電気掃除機の外観を示した斜視図である。
【００１６】
図１に示すように、本実施形態に係る電気掃除機１は、掃除機本体２と、集塵ホース３と、手元操作管４と、把持部５と、操作部６と、延長管７と、吸込口体８とを備える。
【００１７】
掃除機本体２は接続口２ａを有する。接続口２ａには、集塵ホース３の一端が着脱自在に接続される。掃除機本体２には、塵埃分離集塵部（図示省略）と、電動送風機１２とが収容される。また、掃除機本体２には、電動送風機１２の排気が吐出される本体排気口（図示省略）が形成される。掃除機本体２は、制御部（図示省略）や、電動送風機１２に電力を導く電源コード１３を備える。電源コード１３の自由端部には、電源プラグ１４が形成される。
【００１８】
集塵ホース３は、可撓性を有し、湾曲自在な細長略円筒状に形成される。集塵ホース３の一端は、接続口２ａに着脱自在に接続される。集塵ホース３は、掃除機本体２の内部に連通される。
【００１９】
手元操作管４の一端は、集塵ホース３の他端に設けられる。手元操作管４は、集塵ホース３を介して掃除機本体２の内部に連通される。
【００２０】
把持部５は、電気掃除機１の使用者が把持して電気掃除機１を操作するものである。把持部５は、手元操作管４の他端部に突設され、集塵ホース３が設けられた手元操作管４の一端部に向けて湾曲させて形成される。
【００２１】
操作部６は、把持部５に設けられる。電気掃除機１の使用者は、操作部６を操作して電気掃除機１を複数の駆動モードに設定できる。操作部６は、電気掃除機１の運転を停止させる切スイッチ６ａや、電気掃除機１の運転を開始させる起動スイッチ６ｂなどを有する。
【００２２】
延長管７は、伸縮可能な細長略円筒状に形成される。延長管７の一端は、手元操作管４の他端に着脱自在に接続される。延長管７は、手元操作管４、および集塵ホース３を介して掃除機本体２の内部に連通される。
【００２３】
吸込口体８は、延長管７の一端に着脱自在に接続される。吸込口体８は、延長管７、手元操作管４、および集塵ホース３を介して掃除機本体２の内部に連通される。吸込口体８は、吸込口（図示省略）を有する。吸込口は、床面などの被掃除面に吸込口体８を配置すると、被掃除面に対向する。
【００２４】
電気掃除機１を運転すると、電動送風機１２が作動して、掃除機本体２の内に負圧が作用する。この負圧は接続口２ａから集塵ホース３と手元操作管４と延長管７とを経て吸込口体８に作用する。そうすると、電気掃除機１は吸込口体８の吸込口から空気とともに被掃除面に溜まった塵埃を吸い込んで被掃除面を掃除する。吸込口体８に吸い込まれた含塵空気は、掃除機本体２に収容された塵埃分離集塵部によって空気と塵埃とに分離される。分離された塵埃は塵埃分離集塵部に集塵される。他方、分離された空気は、電動送風機１２に吸い込まれて、掃除機本体２の本体排気口から吐出される。
【００２５】
図２は、本発明に係る電動送風機を部分的に切り欠いて示した側面図である。
【００２６】
図２に示すように、電気掃除機１の電動送風機１２は、吸気口２１を有する遠心ファン部２２と、排気口２３を有するモータ部２４とから構成される。
【００２７】
なお、説明を容易にするために以下、図２に示す姿勢を基本姿勢とし、実線矢Ｘ方向を前方として前後の方向説明を行う。
【００２８】
遠心ファン部２２は、吸気口２１を有するファンカバー２６と、ファンカバー２６に収容されるとともに、吸気口２１に対向させた吸込口２７を有する遠心ファン２８と、ファンカバー２６に収容されるとともに、遠心ファン２８の周囲に配置された整流板部２９とから構成される。
【００２９】
ファンカバー２６は、底面部３１と、略円筒状の側面部３２とを有し、略有底円筒状に一体に形成される。ファンカバー２６には、遠心ファン２８と、整流板部２９とが収容される。底面部３１は、その中央部に略円形の吸気口２１を有する。吸気口２１から吸い込まれた空気は、遠心ファン２８に案内される。底面部３１の吸気口２１の周縁部には、環状のシール部材３４が設けられる。シール部材３４は、多孔質のポリテトラフロロエチレン樹脂の積層材や、紙と発泡紙の積層材を用いて形成される。
【００３０】
遠心ファン２８は、モータ部２４によって回転される。遠心ファン２８は、その回転時に空気との摩擦によって発生する熱に対する耐熱性や、回転時の慣性や重量などを考慮して、例えばアルミニウム合金などを用いて形成される。また、遠心ファン２８は、上板３６と、下板３７と、複数のファン翼３８とを備える。遠心ファン２８は、上板３６と、下板３７と、ファン翼３８とで区画された複数の渦巻状の吸気風路３９を有する。
【００３１】
上板３６は略円板状に形成される。上板３６は、その中心部分に吸込口２７を有する。吸込口２７は、ファンカバー２６の吸気口２１に対向させて配置される。上板３６の吸込口２７の縁部は、吸気口２１側に湾曲される。すなわち、上板３６は、吸込口２７を中心に下板３７側に向けて拡開状に形成される。吸込口２７の周縁部は、シール部材３４に食い込むように挿入される。
【００３２】
下板３７は、上板３６と略同径の略円板状に形成される。下板３７は、その中心部分にモータ部２４が嵌挿される嵌挿孔４０を有する。
【００３３】
ファン翼３８は動翼である。ファン翼３８は、上板３６および下板３７を離間させて、上板３６および下板３７のそれぞれに接合される。ファン翼３８は、電動送風機１２の長手軸直行方向に放射状に設けられ、かつ渦巻状の壁状に形成される。ファン翼３８は、遠心ファン２８の吸込口２７側に位置された一方の端部から、遠心ファン２８の吐出口４１側に位置された他方の端部までの全長に亘って、上板３６および下板３７に挟持される。
【００３４】
なお、遠心ファン２８は、モータ部２４によって、ファン翼３８が中心から径方向に巻く渦の反対方向に回転される。
【００３５】
整流板部２９は、遠心ファン部２２と、モータ部２４との間に設けられた整流板保持体４３に設けられる。また、整流板部２９は、遠心ファン２８と整流板保持体４３との間に配置される。整流板部２９の外径寸法は、ファンカバー２６の内径寸法よりも小さい。すなわち、整流板部２９の外周は、ファンカバー２６の内周から離間される。整流板部２９は、整流板本体４５と、複数の上流整流板４６と、複数の下流整流板４７とを備える。
【００３６】
整流板本体４５は略円板状に形成される。整流板本体４５は、その中心部に整流板保持体４３の軸受部４８を嵌挿する略円形の貫通孔４９を有する。整流板本体４５は、遠心ファン２８の外径寸法よりも大きく形成される。
【００３７】
上流整流板４６は、静翼である。上流整流板４６は、整流板本体４５の遠心ファン２８側の面に設けられ、電動送風機１２の前方に向けて突出させて形成される。上流整流板４６は、遠心ファン２８の外周に対向させ、かつ遠心ファン２８の外周から若干離間された周縁に配置される。上流整流板４６は、整流板本体４５に対して略垂直な円弧壁状に形成される。それぞれの上流整流板４６は、電動送風機１２の長手軸方向視で渦巻状に配置される。それぞれの上流整流板４６は、互いに略等間隔に離間される。上流整流板４６の渦巻方向は遠心ファン２８のファン翼３８の渦巻方向の逆方向に形成される。それぞれの上流整流板４６の間には、整流板本体４５の外周方向に向かって次第に幅広となる案内風路５０が区画される。案内風路５０は、遠心ファン２８から吐出された空気をファンカバー２６の内周に案内する螺旋状の風路である。
【００３８】
下流整流板４７は、整流板本体４５のモータ部２４側の面に設けられ、電動送風機１２の後方に向けて突出させて形成される。下流整流板４７は、整流板本体４５に対して略垂直な円弧壁状に形成される。それぞれの下流整流板４７は、上流整流板４６の渦巻方向とは逆方向の渦巻状に配置される。それぞれの下流整流板４７は、互いに略等間隔に離間される。それぞれの下流整流板４７の間には、流過風路５１が区画される。流過風路５１は、案内風路５０からファンカバー２６の内周に吐出された空気をモータ部２４に案内する風路である。
【００３９】
図３は、本発明に係る電動送風機のモータ部を分解して示した斜視図である。
【００４０】
図２および図３に示すように、電動送風機１２のモータ部２４は、排気口２３を有するモータハウジング５３と、モータハウジング５３の内周に設けられた固定子５５と、モータハウジング５３内に回動自在に軸支された回転子５６と、モータハウジング５３に設けられ、回転子５６に電気的に接続された一対のブラシ機構５７とから構成される。固定子５５と、回転子５６と、一対のブラシ機構５７とからモータ５９が構成される。モータ５９は、遠心ファン２８の駆動力を発生させる駆動源である。
【００４１】
モータハウジング５３は、合成樹脂などの絶縁材料を用いて略有底円筒状に形成される。モータハウジング５３には、固定子５５と、回転子５６とが収容される。モータハウジング５３の開口端部６２には、略円筒状の側面部６３から径方向外側に突出させたフランジ部６４が形成される。フランジ部６４は、ファンカバー２６の開口部６５に嵌合される。モータハウジング５３の内部は、開口端部６２のケース部開口６６を介してファンカバー２６の内部に連通される。
【００４２】
モータハウジング５３の側面部６３には、ブラシ機構５７が貫設されたブラシホルダ固定部６７が設けられる。ブラシホルダ固定部６７は、凹没状に形成され、電動送風機１２の前方に開放される。また、モータハウジング５３の側面部６３には、ブラシホルダ固定部６７に併設させて端子保持部６８が設けられる。端子保持部６８は、モータハウジング５３の側面部６３に一体に形成される。
【００４３】
モータハウジング５３の底面部６９は、側面部６３から連続させて形成される。底面部６９の中央部には、電動送風機１２の後方に突出させて略円筒状のモータヘッド部７０が形成される。モータヘッド部７０には、ベアリング７２が収容される。側面部６３は、その後端近傍に排気口２３を有する。
【００４４】
モータハウジング５３のケース部開口６６には、整流板保持体４３が設けられる。ケース部開口６６のうち、整流板保持体４３で覆われていない部分は、モータハウジング５３の内部と、ファンカバー２６の内部とを連通させる連通口（図示省略）である。
【００４５】
整流板保持体４３は、板状に形成され、モータハウジング５３の径方向に架設される。また、整流板保持体４３は、ケース部開口６６の一部を覆う。整流板保持体４３の中央部には、モータハウジング５３の前方に突出させて略有底円筒状の軸受部４８が設けられる。軸受部４８の内周面にはベアリング７３が収容される。軸受部４８の底面部は、モータ５９が挿通される挿通孔７４を有する。
【００４６】
固定子５５は、モータハウジング５３の側面部６３の内周面に設けられる。固定子５５は、モータハウジング５３内に保持された鉄心７５と、鉄心７５に設けられた端子台７７と、鉄心７５に巻回されたフィールド巻線７８（固定子巻線）とを備える。
【００４７】
鉄心７５は、締結孔７５ａを有し、モータハウジング５３にネジなどの締結部材７６で締結される。
【００４８】
端子台７７は、合成樹脂などの絶縁材料で形成される。また、端子台７７は、鉄心７５の一方の端面に当接された矩形の枠状体である。端子台７７は、鉄心７５とともにモータハウジング５３内に保持される。端子台７７の４つの角部には、それぞれ支持台７９が突設される。支持台７９は、角柱形状に形成される。支持台７９の自由端部８０には、それぞれ端子８１が設けられる。端子８１は、導電材料で形成される。それぞれの端子８１は、導電線（図示省略）によってフィールド巻線７８に電気的に接続される。固定子５５の中心軸を対称軸として向かい合う一対の端子８１ａは、それぞれブラシ機構５７に電気的に接続される。他方、固定子５５の中心軸を対称軸として向かい合う他の一対の端子８１ｂは、それぞれ電源に電気的に接続される。端子８１ａは、固定子５５の中心軸に向かって屈曲された舌片８２を有する。舌片８２は、固定子５５をモータハウジング５３に固定させると、ブラシホルダ固定部６７の内面を臨む。舌片８２は、ブラシ機構５７に圧接され、ブラシ機構５７に電気的に接続される。端子８１ａが設けられた支持台７９の自由端部８０は、モータハウジング５３の端子保持部６８に嵌設されて保持される。
【００４９】
回転子５６は、固定子５５の内側に配設される。回転子５６は、その軸芯に配置されたロータ軸８４と、ロータ軸８４に巻回されたフィールド巻線８５（回転子巻線）と、フィールド巻線８５に電気的に接続され、ロータ軸８４に設けられた整流子８６とを備える。
【００５０】
ロータ軸８４は、モータ５９の駆動力を遠心ファン２８に伝達する。ロータ軸８４は、モータハウジング５３のベアリング７２と、整流板保持体４３のベアリング７３とで回転自在に軸支される。ロータ軸８４は、モータハウジング５３の長手方向軸の略同軸上に配設される。ロータ軸８４の前端には、遠心ファン部２２の遠心ファン２８が設けられる。ロータ軸８４は、遠心ファン２８の嵌挿孔４０に嵌挿される。
【００５１】
ブラシ機構５７は、モータハウジング５３のブラシホルダ固定部６７に設けられる。一対のブラシ機構５７は、モータハウジング５３の長手方向の軸芯を対称軸として、ほぼ対向させて配置される。
【００５２】
ブラシ機構５７は、ブラシホルダ固定部６７に貫設されたブラシホルダ８８と、ブラシホルダ８８に摺動自在に収容されたカーボンブラシ８９と、カーボンブラシ８９を回転子５６の整流子８６に押圧付勢させるコイルバネ９０とを備える。
【００５３】
ブラシホルダ８８は、銅合金等の導電材料からなる板材を用いて形成された略角筒形の本体部８８ａと、本体部８８ａの一端から延長されて折り曲げられた蓋部８８ｂと、本体部８８ａの側面に設けられた第一係止舌片９１と、本体部８８ａの側面に設けられた第二係止舌片９２とを備える。本体部８８ａは、板材を折り曲げ、板材の両端部が互いに若干離間させて突き合わせられる。このため、本体部８８ａは、弾性変形によって縮径可能である。第一係止舌片９１は、ブラシホルダ８８の側面のうち、固定子５５の支持台７９に対向する側面に配置される。第一係止舌片９１は、ブラシホルダ８８の外方に傾斜させて形成され、支持台７９に設けられた端子８１ａの舌片８２に係止される。他方、第二係止舌片９２は、ブラシホルダ８８の側面のうち、第一係止舌片９１が形成された側面に隣り合う側面に配置される。第二係止舌片９２は、ブラシホルダ８８の外方に傾斜させて形成され、モータハウジング５３の外面に係止される。ブラシホルダ８８は、第一係止舌片９１によってモータハウジング５３から抜出阻止され、第二係止舌片９２によって侵入阻止されることで、モータ部２４に固定される。
【００５４】
カーボンブラシ８９は、ブラシホルダ８８の蓋部８８ｂとの間に介挿されたコイルバネ９０によって開口端に向けて押出付勢され、回転子５６の整流子８６に摺設される。カーボンブラシ８９と、蓋部８８ｂとの間は、導電線（図示省略）で電気的に接続される。
【００５５】
図４および図５は、本発明に係る電動送風機のモータ部を示した部分的な断面図である。
【００５６】
図４および図５に示すように、電動送風機１２もモータ部２４は、モータハウジング５３のブラシホルダ固定部６７にブラシ機構５７のブラシホルダ８８が貫設されるとともに、端子保持部６８に支持台７９の自由端部８０が嵌設される。
【００５７】
端子保持部６８は、固定子５５の支持台７９を側方から挟持する一対のリブ９３で形成される。リブ９３は、凹没部９３ａを有する。支持台７９の自由端部８０は、凹没部９３ａに嵌設され、モータハウジング５３の径方向および周方向の変位を拘束される。端子保持部６８は、ブラシホルダ固定部６７と一体に形成される。
【００５８】
次に、電動送風機１２のモータ部２４の組立作業について説明する。
【００５９】
電動送風機１２のモータ部２４の組立作業において、組立作業者は、先ず、モータハウジング５３に固定子５５を組み込み固定する。このとき、支持台７９の自由端部８０は、モータハウジング５３の端子保持部６８に嵌設される。
【００６０】
次に、組立作業者は、回転子５６の一方の端部をモータハウジング５３のベアリング７２に挿入し、この後に回転子５６の他方の端部に整流板保持体４３を配置し、整流板保持体４３をモータハウジング５３に固定する。
【００６１】
次に、組立作業者は、モータハウジング５３の外側からブラシホルダ固定部６７にブラシ機構５７を圧入する。このとき、ブラシホルダ８８の側面のうち、固定子５５の支持台７９に対向させて配置された側面は、端子８１ａの舌片８２を摺動しつつモータハウジング５３の内部に侵入し、この側面に設けられた第一係止舌片９１は、端子８１ａの舌片８２よりも内側に侵入する。他方、ブラシホルダ８８の側面のうち、第一係止舌片９１が形成された側面に隣り合う側面は、ブラシホルダ固定部６７の内面を摺動しつつモータハウジング５３の内部に侵入し、この側面に設けられた第二係止舌片９２は、モータハウジング５３の外面に係止してブラシ機構５７を圧入が終了する。
【００６２】
ブラシ機構５７がブラシホルダ固定部６７に圧入されると、端子８１ａの舌片８２は、ブラシホルダ８８の側面に圧接され、端子８１ａは、ブラシホルダ８８に電気的に接続される。また、ブラシ機構５７がブラシホルダ固定部６７に圧入されると、ブラシ機構５７のカーボンブラシ８９は、回転子５６の整流子８６に摺接される。そして、フィールド巻線７８に接続されている端子８１ａの舌片８２がブラシホルダ８８の側面に圧接され、ブラシホルダ８８がカーボンブラシ８９に電気的に接続されているので、フィールド巻線７８と、カーボンブラシ８９とは、端子８１ａと、ブラシホルダ８８とを介して電気的に接続される。
【００６３】
したがって、本実施形態に係る電動送風機１２によれば、電動送風機１２の作動によって生じる熱、および振動や、モータ部２４内の排気流や、外部から電動送風機１２に加わる振動や衝撃力などの外力によって、支持台７９の自由端部８０が過大に変位されることなく、端子８１ａとブラシ機構５７との間の電気的な接続は、極めて安定に確保される。電動送風機１２は、端子８１ａとブラシ機構５７との間の電気的な接続が安定に確保されるので、その運転出力も安定する。
【００６４】
また、本実施形態に係る電動送風機１２によれば、モータハウジング５３のブラシホルダ固定部６７にブラシ機構５７を圧入する組立工程において、支持台７９が堅固に保持されるので、端子８１ａとブラシ機構５７との間の電気的な接続は、極めて安定に確保され、当該工程における歩留まりを飛躍的に向上できる。
【００６５】
本実施形態に係る電動送風機１２、および電気掃除機１によれば、固定子５５に設けられた支持台７９の支持剛性を向上させて、端子８１ａとブラシ機構５７との電気的な接続を確実に安定させることができる。
【００６６】
なお、本発明に係る電動送風機１２を備えた電気掃除機１は、キャニスタ型の電気掃除機１に限らず、アップライト型、スティック型、あるいはハンディ型などの電気掃除機１であってもよい。
【図面の簡単な説明】
【００６７】
【図１】本発明に係る電気掃除機の外観を示した斜視図。
【図２】本発明に係る電動送風機を部分的に切り欠いて示した側面図。
【図３】本発明に係る電動送風機のモータ部を分解して示した斜視図。
【図４】本発明に係る電動送風機のモータ部を示した部分的な断面図。
【図５】本発明に係る電動送風機のモータ部を示した部分的な断面図。
【符号の説明】
【００６８】
１  電気掃除機
２  掃除機本体
２ａ  接続口
３  集塵ホース
４  手元操作管
５  把持部
６  操作部
６ａ  切スイッチ
６ｂ  起動スイッチ
７  延長管
８  吸込口体
１２  電動送風機
１３  電源コード
１４  電源プラグ
２１  吸気口
２２  遠心ファン部
２３  排気口
２４  モータ部
２６  ファンカバー
２７  吸込口
２８  遠心ファン
２９  整流板部
３１  底面部
３２  側面部
３４  シール部材
３６  上板
３７  下板
３８  ファン翼
３９  吸気風路
４０  嵌挿孔
４１  吐出口
４３  整流板保持体
４５  整流板本体
４６  上流整流板
４７  下流整流板
４８  軸受部
４９  貫通孔
５０  案内風路
５１  流過風路
５３  モータハウジング
５５  固定子
５６  回転子
５７  ブラシ機構
５９  モータ
６２  開口端部
６３  側面部
６４  フランジ部
６５  開口部
６６  ケース部開口
６７  ブラシホルダ固定部
６８  端子保持部
６９  底面部
７０  モータヘッド部
７２  ベアリング
７３  ベアリング
７４  挿通孔
７５  鉄心
７５ａ  締結孔
７６  締結部材
７７  端子台
７８  フィールド巻線
７９  支持台
８０  自由端部
８１、８１ａ、８１ｂ  端子
８２  舌片
８４  ロータ軸
８５  フィールド巻線
８６  整流子
８８  ブラシホルダ
８８ａ  本体部
８８ｂ  蓋部
８９  カーボンブラシ
９０  コイルバネ
９１  第一係止舌片
９２  第二係止舌片
９３  リブ
９３ａ  凹没部
【図１】
2010119237.tif 000003
【図２】
2010119237.tif 000004
【図３】
2010119237.tif 000005
【図４】
2010119237.tif 000006
【図５】
2010119237.tif 000007